(57)【要約】【課題】商品（ディスク）を収納した収納ケースをショップの棚に陳列する際に使用する陳列ケースで、商品の盗難に効果を発揮するようにしたことにある。【解決手段】ケース本体１１の一側面に商品の収納ずみ収納ケース１２を出し入れする開口１３を設けると共に、上記ケース本体に上記嵌め込んだ収納ケースの下縁側の脱出を阻止する適宜の脱出防止手段１４を設け、上記ケース本体の他側面側壁の上縁に適宜のヒンジ１９を介し起伏自在に外側頂壁２０及びこの外側頂壁からＬ形に連なると共に、上記ケース本体の頂壁に平行する上記外側頂壁の倒れにともない嵌め込んである上記収納ケースの上部脱出を阻止する被せ壁２２を設けた陳列ケースを提供する。【選択図】　　　　　図１
2004097739.tif 000002
【特許請求の範囲】
【請求項１】
ケース本体の一側面に商品の収納ずみ収納ケースを出し入れする開口を設けると共に、上記ケース本体に上記嵌め込んだ収納ケースの下縁側の脱出を阻止する適宜の脱出防止手段を設け、上記ケース本体の他側面側壁の上縁に適宜のヒンジを介し起伏自在に外側頂壁及びこの外側頂壁からＬ形に連なると共に、上記ケース本体の頂壁に平行する上記外側頂壁の倒れにともない嵌め込んである上記収納ケースの上部脱出を阻止する被せ壁を設けたことを特徴とする陳列ケース。
【請求項２】
前記倒した外側頂壁が、適宜の係合手段によって被せ壁の開放を阻止するようにしたことを特徴とする請求項１に記載の陳列ケース。
【請求項３】
周囲の一面に商品の収納ずみ収納ケースを挿入する挿入口を有するケース本体と、このケース本体に適宜のヒンジを介し開閉自在になって上記挿入口の一部或いは全部を閉鎖する蓋体とからなる陳列ケース。
【請求項４】
ケース本体の一側面に商品の収納ずみ収納ケースを出し入れする開口を設けると共に、この開口の下縁表面から上方に突出して収納ケースの下縁すべり出し阻止用の突出部を設け、上記ケース本体の上縁側に前記ケース本体に対する上記収納ケースの上縁側の脱出或いは上昇を阻止し、かつ阻止解除の可能な適宜の阻止手段を設けた陳列ケースにおいて、上面に設けてある挿入口からシート製の展示ケースに上記陳列ケースを挿入すると共に、展示ケースに挿入下の上記陳列ケースの上記突部が嵌り込む貫窓を設けたことを特徴とする陳列ケースの展示装置。
【請求項５】
ケース本体の一側面に商品の収納ずみ収納ケースを出し入れする開口を設けると共に、この開口の下縁表面から上方に突出して収納ケースの下縁すべり出し阻止用の突出部を設け、上記ケース本体の上縁側に前記ケース本体に対する上記収納ケースの上縁側の脱出或いは上昇を阻止し、かつ阻止解除の可能な適宜の阻止手段を設けた陳列ケースにおいて、上面に設けてある挿入口から合成樹脂成形製の展示ケースに上記陳列ケースを挿入すると共に、上記展示ケースの側壁の上縁から下縁に向けて上記突出部の嵌入用切欠きを設けたことを特徴とする陳列ケースの展示装置。
【発明の詳細な説明】
【０００１】
【発明の属する技術分野】
この発明は、商品、例えばディスクを収納した収納ケースを、ショップに陳列する際使用する陳列ケースに関する。
【０００２】
【従来の技術及びその課題】
ショップに商品、例えばディスクを収納ずみ収納ケースを陳列すると、収納ケースが開放されて収納ディスクの抜き取り、すなわち盗難の原因になる。
【０００３】
そこで、ディスクの盗難を防止するために、ショップ側の陳列ケースにディスクの収納ずみ収納ケースを入れ込んで、陳列時の収納ケースの開放阻止、すなわち、ディスクの抜き取りを防止するようにする。
【０００４】
勿論、陳列ケースは、周知のように背見出しの収納ずみ展示ケース（ショップ側の）に挿入し、陳列ケースには、ショップの出入口に設置してある磁気センサーなどの検知手段を作用させて盗難を検知する不正な持ち出し防止のタグが設けてある。
【０００５】
上述のような方式に用いる陳列ケースは、図１７及び図１８に示すように、一側面の開口１から陳列ケース２に商品のディスク（図示省略）の収納ずみ収納ケース３を入れる。
【０００６】
入れた収納ケース３の下縁部は、開口１から上方に突出する（陳列ケース２の底壁に対し）突出部４との引っかかりの関係によって脱出を阻止するようになっている。
【０００７】
その後に、陳列ケース２の上部外側にショップ側の丈の低い箱状のカバー５を嵌め込んで、カバー５の周壁により開口１の上部を閉鎖して、収納ケース３の上部とカバー５の周壁との引っかかりの関係によって脱出を防止するようになっている。
【０００８】
そして、嵌め込んだカバー５は、陳列ケース２に対し係合してショップ側の解除具による操作以外に取り外しができないようになっている。
【０００９】
上記の係合手段は、図示の場合陳列ケース２の頂壁に設けてある貫孔６にカバー５の頂板裏面から突出する爪７をカバー５の嵌め込みにともない貫通させて、貫孔６の下縁に爪７の銛状部８を係合する。
【００１０】
上記陳列ケース２に対するカバー５を取り外すための解除方法は、周知のようにカバー５の貫通孔９に解除具の突出片（図示省略）を押し込むと、突出片と爪７のテーパー突条との当接によって爪７を押し戻して、爪７の銛状部と貫孔６の縁との係合関係が解除されるよう貫孔６の直下内に銛状部を位置させる。
【００１１】
この状態でカバー５を離脱する。
【００１２】
以上のような構成によると、陳列ケースとカバーとの別々の二部品になるので、別々の金型の使用などによってコストが大幅にアップする問題があった。
【００１３】
また、ショップ側にあっては、二部品の管理に著しく手数がかかる問題もあった。
【００１４】
さらに、陳列ケース２に設けてある突出部４を開口１の縁から外方に突出させて（図１参照）設けてあると、上面の挿入口から展示ケースに陳列ケース２を挿入した際、展示ケースの側壁を突出部４により押し出すことになり、この押し出しにともない展示ケースの側壁が外方に膨出する。
【００１５】
すると、膨出にともない展示ケースの変形によって展示ケースの幅（両側面間の）が大きくなって、ショップの棚に並べた際の陳列数が減少したり、或いは見苦しいなどの不都合が発生した。
【００１６】
そこで、この発明は、コストの大幅な低減をはかると共に、管理が容易になり、また、展示ケースの一部膨出をなくすることにある。
【００１７】
【課題を解決するための手段】
上記の課題を解決するために、この発明は、ケース本体の一側面に商品の収納ずみ収納ケースを出し入れする開口を設けると共に、上記ケース本体に上記嵌め込んだ収納ケースの下縁側の脱出を阻止する適宜の脱出防止手段を設け、上記ケース本体の他側面側壁の上縁に適宜のヒンジを介し起伏自在に外側頂壁及びこの外側頂壁からＬ形に連なると共に、上記ケース本体の頂壁に平行する上記外側頂壁の倒れにともない嵌め込んである上記収納ケースの上部脱出を阻止する被せ壁を設けた構成を採用する。
【００１８】
また、前記倒した外側頂壁が、適宜の係合手段によって被せ壁の開放を阻止するようにすることもある。
【００１９】
さらに、周囲の一面に商品の収納ずみ収納ケースを挿入する挿入口を有するケース本体と、このケース本体に適宜のヒンジを介し開閉自在になって上記挿入口の一部或いは全部を閉鎖する蓋体とからなる構成を採用する。
【００２０】
また、ケース本体の一側面に商品の収納ずみ収納ケースを出し入れする開口を設けると共に、この開口の下縁表面から上方に突出して収納ケースの下縁すべり出し阻止用の突出部を設け、上記ケース本体の上縁側に前記ケース本体に対する上記収納ケースの上縁側の脱出或いは上昇を阻止し、かつ阻止解除の可能な適宜の阻止手段を設けた陳列ケースにおいて、上面に設けてある挿入口からシート製の展示ケースに上記陳列ケースを挿入すると共に、展示ケースに挿入下の上記陳列ケースの上記突部が嵌り込む貫窓を設けた構成を採用することもある。
【００２１】
さらに、ケース本体の一側面に商品の収納ずみ収納ケースを出し入れする開口を設けると共に、この開口の下縁表面から上方に突出して収納ケースの下縁すべり出し阻止用の突出部を設け、上記ケース本体の上縁側に前記ケース本体に対する上記収納ケースの上縁側の脱出或いは上昇を阻止し、かつ阻止解除の可能な適宜の阻止手段を設けた陳列ケースにおいて、上面に設けてある挿入口から合成樹脂成形製の展示ケースに上記陳列ケースを挿入すると共に、上記展示ケースの側壁の上縁から下縁に向けて上記突出部の嵌入用切欠きを設けた構成を採用する。
【００２２】
【発明の実施形態】
この発明の実施の形態を添付図面に基づいて説明する。
【００２３】
この発明の第一の実施形態では、図１から図５に示すように、ケース本体１１の一側面には、商品（例えばディスクなど）の収納ケース１２を出し入れする開口１３が設けてあると共に、ケース本体１１には、嵌め込んだ収納ケース１２の下縁側の脱出（すべり出し）を阻止する適宜の脱出防止手段１４が設けてある。
【００２４】
上記の脱出防止手段１４としては、例えば図１から図３に示すように開口１３の下縁から上方にストッパ片１５を突出（ストッパ片１５は、図１、２に示す開口１１の下縁中央部に限定されず、開口１１の下縁両コーナーや開口１１の下縁全長に設けることもある）させる以外に、図４、５に示すように、ケース本体１１の周囲底壁から上向きに突出する突起１６を収納ケース１２の合成樹脂の成形の際に形成された貫孔１７に嵌入させてすべり出しを阻止することもある。
【００２５】
また、ケース本体１１の他側面の側壁１８の上縁に嵌め込んである収納ケース１２の上縁側脱出阻止手段Ｓとしての適宜のヒンジ１９を介し起伏自在な外側頂壁２０を設けると共に、この外側頂壁２０からＬ形に連なってケース本体１１の頂壁２１に平行する外側頂壁２０の倒れにともない嵌め込んである収納ケース１２の上部脱出を阻止する被せ壁２２を設ける。
【００２６】
上記のヒンジ１９は、図示の場合ハーフカットにより形成する関係上ケース本体１１の合成樹脂による成形と同時に外側頂壁２０及び被せ壁２２も一体的に成形して大幅なコストの低減をはかるようにしたが、外側頂壁２０と被せ壁２２との一体形成を別部品とし、ケース本体１１に外側頂壁２０を例えば穴（孔）と突軸の嵌め合わせ或いはかしめ鋲などのピンヒンジなどで起伏自在に取付けることも考えられる。
【００２７】
上記のように陳列ケースＫを構成すると、外側頂壁２０を図３鎖線で示すように起立させて被せ壁２２による開口１３の上部閉鎖を解除する。
【００２８】
その後に、開口１３からケース本体１１内に商品の収納ずみ収納ケース１２を嵌め込む。
【００２９】
上記の嵌め込みは、障子の立て込み手順のように、収納ケース１２の上縁側を先行させて嵌入し、次いで、脱出防止手段１４の上を収納ケース１２の下縁が通過するように嵌め込み、嵌め込み後に収納ケース１２の下面がケース本体１１底壁上に重なるように収納ケース１２を降下する。
【００３０】
然るのち、外側頂壁２０を倒して被せ壁２２により開口１３の上部を閉鎖（図３に示すように）しておく。
【００３１】
しかして、背見出しの収納ずみ例えば透明な合成樹脂シート製の展示ケース２３の上面挿入口２７から陳列ケースＫを挿入して、ショップの棚に並べて陳列する。
【００３２】
陳列時には、被せ壁２２により開口１３の上部を閉鎖しているので、ケース本体１１内から収納ケース１２を脱出させようとしても、収納ケース１２の上部が被せ壁２２に、収納ケース１２の下部が脱出防止手段１４に引っかかって阻止する。
【００３３】
勿論、開口１３から被せ壁２２が外れるように外側頂壁２０を起立させようとしても、収納ケース１２の抜き取りを目的とする行為につきちゅうちょさせて、盗難防止に役立てる。
【００３４】
なお、例えば、図示のように、外側頂壁２０と被せ壁２２との端縁同士を連結する端板２４とケース本体１１の側面との対向面に、例えば一方に穴（孔も可）を他方に突部を設け、穴と突部との掛合部２５の嵌合によって被せ壁２２の開放に強い力を必要としておくと、上述の盗難防止に尚一層役立てることができる。
【００３５】
勿論、上記の被せ壁２２を有する外側頂壁２０を、図示の場合ケース本体１１の上縁全長に設けたが、単数或いは複数（点在的に）設けて目的を達成することもある。
【００３６】
なお、周知のように陳列ケースＫの所望位置に盗難防止タグ２６を設けて、ショップの出入口に設けてある検知手段を上記タグ２６により作用させるとよい。
【００３７】
また、ケース本体１１内の収納ケース１２を上昇させた際、頂壁２１に収納ケース１２の上面が当接する。
【００３８】
このとき、収納ケース１２の下縁が脱出防止手段１４から外れないようになっているので、ケース本体１１に対する収納ケース１２の取り出しが阻止（脱出阻止）される。
【００３９】
この発明の第二の実施形態では、図６から図１０に示すように、第一の実施形態の脱出阻止手段Ｓには、脱出阻止の姿勢を維持し、ショップ側で脱出阻止の姿勢を解除することができる係合手段Ｔが設けてある。
【００４０】
上記の係合手段Ｔとしては、例えば図６、７、８に示すように、頂壁２１に貫窓３１を、外側頂壁２０の裏面に外側頂壁２０の押し倒しにともない貫窓３１に嵌入して押し戻され、外側頂壁２０の押し倒し終了にともない貫窓３１に貫通終了して押し戻しが解除され、かつ解除にともない先端の銛状の爪部３２が貫窓３１の下縁（図示頂壁２１の下面側）に係合する爪３３とで構成され、ショップ側の解除具３４の突出片３５を外側頂壁２０の爪３３に近くに設けてある透孔３６に嵌入して、嵌入にともない爪３３の板面に設けてある爪部３２側に向う程突出度合いの大きいテーパー部３７と突出片３５との当接により爪３３を押し逃がして貫窓３１の下縁と爪部３２との係合関係を解除（図９に示す）し、その後に外側頂壁２０を起立させることができるようにしたが、上述のような構造に限定されず、例えば爪部を有する爪を金属製の鉄片によって形成し、解除具としての磁石によって鉄片を磁吸しながら爪部の係合関係を解除する周知の構成などであってもよい。
【００４１】
要するに、脱出阻止手段Ｓの阻止姿勢を維持し、その維持をショップ側の店員によって解除できるものであればよい。
【００４２】
すると、陳列時に脱出阻止手段Ｓによって陳列ケースＫから収納ケース１２の取り出しが阻止されて、収納ケース１２に収納してある商品の例えばディスクの抜き取りを防止する。
【００４３】
勿論、陳列ケースＫに設けてあるタグ２６によって収納ケース１２と共に陳列ケースＫの店外の持ち出しを阻止する。
【００４４】
なお、図示の場合係合関係時の爪３３の先端（爪部３２で）と収納ケース１２の上面との当接や接近によってケース本体１１内での収納ケース１２の上昇移動（ストッパ片１５から収納ケース１２の下縁が外れないように）をストップするようにしたが、図１０に示すように、外側頂壁２０の裏面に押え部材３８を、外側頂壁２０の倒しにともない頂壁２１の長孔３９に嵌入し、そして貫通させて、押え部材３８の先端と収納ケース１２の上面との衝突にともないケース本体１１内での収納ケース１２の上方移動を止めるようにしてもよい。
【００４５】
上述の第二の実施形態の陳列ケースＫ、脱出阻止手段Ｓのヒンジ１９、外側頂壁２０及び被せ壁２２は、第一の実施形態と同様につき説明を省略する。
【００４６】
この発明の第三の実施形態では、図１１及び図１２に示すように、周囲の一面（図示の場合上面）に商品（例えばディスク）の収納ずみ収納ケース１２を抜き差し自在に挿入する挿入口４１を有するケース本体４２と、このケース本体４２に適宜のヒンジ４３を介し開閉自在になって挿入口４１の全部或いは一部を閉鎖する蓋体４４とで陳列ケースＫ’を形成する。
【００４７】
上記の蓋体４４は、図示の場合、頂壁４５と、頂壁４５に連なる被せ壁４６とで（第一の実施形態と同様な）形成され、図示の場合ケース本体４２の側壁の上縁にハーフカットのヒンジ４３を介し蓋体４４をケース本体４２と一体的に成形して設けたが、ケース本体４２と蓋体４３とを別々に形成し、ピンヒンジなどによって取付けてもよい。
【００４８】
そして、第一の実施形態と同様に頂壁４５と被せ壁４６の端縁を連結する端壁４７とケース本体４２との対向面に設けた掛合部２５を掛合させておくと、蓋体４４の閉鎖維持をはかって、蓋体４４を開放させて収納ケース１２を抜き取る行為をちゅうちょさせる。
【００４９】
また、蓋体４４は、図示の挿入口４１の全部を閉鎖するものに限定されず、一部を単数、複数（点在的な配置による）設けてもよい。
【００５０】
なお、上記の陳列ケースＫ’は、陳列の際展示ケース２３に挿入してあり、店外持ち出しを阻止するタグ２６を設けておく。
【００５１】
図中４８は、軽量や材料の節約などのために設けた貫孔である。
【００５２】
この発明の第４の実施形態では、図１３から図１５に示すように例えば第一、第二実施形態の陳列ケースＫのストッパ片１５が開口１３の開放前縁から前方に突出させてある場合で、上面の開口５１から合成樹脂などのシート製のショップでの展示ケース５２に陳列ケースＫを挿入した際の展示ケース５２のストッパ片１５による側壁５３の押し出しにともなう膨出を、陳列ケースＫの挿入下において、側壁５３に設けてあるストッパ片１５の嵌り込む貫窓５４を設けて防止する。
【００５３】
上記のストッパ片１５は、図示山形に限定されず、例えば台形などであってもよい。
【００５４】
そして、ストッパ片１５の上縁から周囲の縁で、周縁裏面側から表面に下り勾配の傾斜縁部５５を設けておくと、図１４に示すように貫窓５４からストッパ片１５を脱出させる際の引っかかりや抵抗がなく、スムーズな脱出を保障することができる。
【００５５】
また、図１５に示すように、ストッパ片１５の傾斜縁部５５の最頂部を貫窓５４の上縁内縁から内方に若干突出するようにしておくと、脱出がなお一層スムーズになる。
【００５６】
この発明の第五の実施形態では、図１６に示すように第４の実施形態と同様に、上面の開口６１から陳列ケースＫを挿入して展示（ショップ）する合成樹脂成形製品の展示ケース６１であって、陳列ケースＫのストッパ片１５が開口１３の開放前縁から突出している場合において、展示ケース６１の側板６２の上縁から下縁（近く）迄には、陳列ケースＫの挿入にともないストッパ片１５が嵌り込んで下方へのスライドに支障をきたさない嵌入用切欠き６３が設けてある。
【００５７】
すると、ストッパ片１５と側板６２の上縁と衝突がなくスムーズに展示ケース６１に陳列ケースＫを挿入することができる。
【００５８】
なお、開口１３の下縁にストッパ片１５を有する陳列ケースＫは、第一、第二の実施形態の構成、すなわち、ヒンジ１９を介し被せ壁２２を有する外側頂壁２０を設けたものに限定されず、陳列ケースに嵌入した収納ケース１２の抜き取りを阻止し、ショップ側での阻止解除の可能な例えば図１７、１８に示すカバーによるものであってもよい。
【００５９】
【発明の効果】
この発明の陳列ケースは、以上のように構成してあるので、陳列ケースに収納してある収納ケースを脱出防止手段と被せ壁との引っかかりによって開口からの取り出しを防止すると共に、ケース本体にヒンジを介し被せ壁を有する外側頂壁を設けたため、別個の部品による紛失や手間のかかる別々の管理が不要になる。
【００６０】
また、被せ壁による収納ケースの上部脱出阻止時に係合手段によって被せ壁の開放を阻止するようにしてあるので、ショップ側の操作以外に被せ壁を開放させることができない。
【００６１】
このため、収納ケースの抜き取りによる盗難を防止することができる。
【００６２】
さらに、陳列ケースの挿入口を蓋体によって閉鎖するので、収納ケースの抜き取りをちゅうちょさせることができる。
【００６３】
また、シート製の展示ケースに陳列ケースを挿入して展示する際、展示ケースの貫窓にストッパ片が嵌り込むようにしてあるので、ストッパ片による展示ケースの側壁の膨出がない。
【００６４】
このため、膨出による展示ケースの並列数量が減少したり、整然と並べて展示できないなどの不都合がない。
【００６５】
さらに、成形製品の展示ケースにストッパ片の嵌入移動用の切欠きを設けてあるので、スムーズに陳列ケースを挿入することができる。
【図面の簡単な説明】
【図１】この発明の第一の実施形態を示す斜視図
【図２】同上の一部切欠正面図
【図３】同縦断側面図
【図４】脱出防止手段の他の例を示す一部切欠正面図
【図５】同上の一部切欠側面図
【図６】第二の実施形態を示す一部切欠正面図
【図７】同上の縦断側面図
【図８】同上の要部を示す横断平面図
【図９】係合解除を示す一部切欠正面図
【図１０】ピンによる収納ケースの移動止めを示す縦断側面図
【図１１】第３の実施形態を示す斜視図
【図１２】同上の縦断側面図
【図１３】第四の実施形態を示す正面図
【図１４】ストッパ片の嵌り込みを示す縦断側面図
【図１５】同上の他の例を示す縦断側面図
【図１６】第五の実施形態を示す正面図
【図１７】従来品の斜視図
【図１８】同上の縦断側面図
【符号の説明】
Ｋ、Ｋ’　　　陳列ケース
Ｓ　　　　　　脱出阻止手段
Ｔ　　　　　　係合手段
１１　　　　　ケース本体
１２　　　　　収納ケース
１３　　　　　開口
１４　　　　　脱出防止手段
１５　　　　　ストッパ片
１６　　　　　突起
１７　　　　　貫孔
１８　　　　　側壁
１９　　　　　ヒンジ
２０　　　　　外側頂壁
２１　　　　　頂壁
２２　　　　　被せ壁
２３　　　　　展示ケース
２４　　　　　挿入口
２６　　　　　タグ
３１　　　　　貫窓
３２　　　　　爪部
３３　　　　　爪
３５　　　　　突出片
３６　　　　　透孔
３７　　　　　テーパー部
３８　　　　　押え部材
３９　　　　　長孔
４１　　　　　挿入口
４２　　　　　ケース本体
４３　　　　　ヒンジ
４４　　　　　蓋体
４５　　　　　頂壁
４６　　　　　被せ壁
４７　　　　　端壁
５１　　　　　開口
５２　　　　　展示ケース
５３　　　　　側壁
５４　　　　　貫窓
５５　　　　　傾斜縁部
６１　　　　　展示ケース
６２　　　　　側板
６３　　　　　切欠き
【図１】
2004097739.tif 000003
【図２】
2004097739.tif 000004
【図３】
2004097739.tif 000005
【図４】
2004097739.tif 000006
【図５】
2004097739.tif 000007
【図６】
2004097739.tif 000008
【図７】
2004097739.tif 000009
【図８】
2004097739.tif 000010
【図９】
2004097739.tif 000011
【図１０】
2004097739.tif 000012
【図１１】
2004097739.tif 000013
【図１２】
2004097739.tif 000014
【図１３】
2004097739.tif 000015
【図１４】
2004097739.tif 000016
【図１５】
2004097739.tif 000017
【図１６】
2004097739.tif 000018
【図１７】
2004097739.tif 000019
【図１８】
2004097739.tif 000020